(57)【要約】【課題】簡易に、ユーザのイメージにあったウィッグの製造を可能にできる。【解決手段】人体模型は、人体の頭蓋部を模した頭蓋部材を含む。頭蓋部材は、第１部分及び第２部分を有する。第１部分は、ウィッグを装着したときに、前記ウィッグに覆われる部分を含み、第２部分は、前記ウィッグを装着したときに、前記ウィッグから露出される部分を含む。第１部分は、人体の頭周りの１以上の第１寸法に応じて、サイズの調整が可能に形成され、第２部分は、人体の顔周りの１以上の第２寸法に応じて、サイズの調整が可能に形成される。【選択図】図２
2019119970.tif 000002
【特許請求の範囲】
【請求項１】
人体の頭蓋部を模した頭蓋部材を含み、
前記頭蓋部材は、第１部分及び第２部分を有し、
前記第１部分は、ウィッグを装着したときに、前記ウィッグに覆われる部分を含み、
前記第２部分は、前記ウィッグを装着したときに、前記ウィッグから露出される部分を含み、
前記第１部分は、人体の頭周りの１以上の第１寸法に応じて、サイズの調整が可能に形成され、
前記第２部分は、人体の顔周りの１以上の第２寸法に応じて、サイズの調整が可能に形成される
人体模型。
【請求項２】
前記頭蓋部材を支持する支持部材を有し、
前記第１部分は、前記支持部材に移動可能に設けられる、複数の第１パーツを含み、
前記第２部分は、前記支持部材に移動可能に設けられる、複数の第２パーツを含む
請求項１に記載の人体模型。
【請求項３】
前記複数の第１パーツは、少なくとも前記第１部分を前後及び左右に分割した、前頭右パーツ、前頭左パーツ、後頭右パーツ及び後頭左パーツを含み、
前記複数の第２パーツは、少なくとも前記第２部分を上下及び左右に分割した、顔上右パーツ、顔上左パーツ、顔下右パーツ及び顔下左パーツを含み、
前記前頭右パーツには、前記顔上右パーツ及び前記顔下右パーツが接続され、
前記前頭左パーツには、前記顔上左パーツ及び前記顔下左パーツが接続され、
前記１以上の第１寸法により、前記支持部材に対する前頭右パーツ、前頭左パーツ、後頭右パーツ及び後頭左パーツの配置が調整可能であり、
前記１以上の第２寸法により、前記前頭右パーツに対する前記顔上右パーツ及び前記顔下右パーツの配置、及び、前記前頭左パーツに対する前記顔上左パーツ及び前記顔下左パーツの配置が調整可能である
請求項２に記載の人体模型。
【請求項４】
前記支持部材は、人体の首を模した首部を含み、
前記首部は、人体の首周りの１以上の第３寸法により、その長さが調整可能に形成される
請求項１乃至３のいずれか１項に記載の人体模型。
【請求項５】
前記頭蓋部材には、人体の顔周りの第４寸法により、眉部、鼻部及び耳部が調整可能に配置される
請求項１乃至４のいずれか１項に記載の人体模型。
【請求項６】
ウィッグを製造する方法であって、
人体の頭蓋部を模した頭蓋部材を含む人体模型を用い、
前記頭蓋部材は、それぞれにサイズ調整可能な第１部分及び第２部分を有し、
前記第１部分は、前記ウィッグを装着したときに、前記ウィッグに覆われる部分を含み、
前記第２部分は、前記ウィッグを装着したときに、前記ウィッグから露出される部分を含み、
ユーザの頭蓋部に関する複数の測定値に基づき、前記第１部分及び前記第２部分のサイズをそれぞれ調整するステップと、
毛髪部が結着された状態のウィッグベースを、前記第１部分に装着するステップと、
ユーザのオーダーするイメージに応じて、前記毛髪部の調整・加工するステップと
を有する製造方法。
【請求項７】
ウィッグを製造するためのシステムであって、
人体の頭蓋部を模した頭蓋部材を含む人体模型を用い、
前記頭蓋部材は、それぞれにサイズ調整可能な第１部分及び第２部分を有し、
前記第１部分は、前記ウィッグを装着したときに、前記ウィッグに覆われる部分を含み、
前記第２部分は、前記ウィッグを装着したときに、前記ウィッグから露出される部分を含み、
ユーザの頭蓋部に関する複数の測定値に基づき、前記第１部分及び前記第２部分のサイズをそれぞれ調整するステップと、
毛髪部が結着された状態のウィッグベースを、前記第１部分に装着するステップと、
ユーザのオーダーするイメージに応じて、前記毛髪部の調整・加工するステップと
を有するシステム。
【発明の詳細な説明】
【技術分野】
【０００１】
本発明は、人体模型、ウィッグを製造する方法、及びシステムの技術に関する。
【背景技術】
【０００２】
ウィッグ（かつら）は、頭部への装着により簡単に髪形を変え、自身のイメージを変えることができるため、近年では、男性だけでなく女性の間でも人気が高い。また、抗がん剤治療や脱毛症等によって毛髪が抜け落ちた場合等には、ウィッグの必要性はとても大きい。
【０００３】
ウィッグの製造方法として、例えば、特許文献１及び２が知られている。
【０００４】
特許文献１には、医療用オーダーメードウィッグの製造方法として、毛髪の位置、量、艶、スタイル及び状態等のうち少なくとも1つの採寸データと、サンプルのウィッグを装着する前後の状態を撮影した画像データとに基づいて、専門家の知識に基づきウィッグベースに結着される人毛や人工毛の種類、植え方、毛流、毛量およびカール等を指示し、指示に基づいてウィッグベースに人毛や人工毛等の毛髪を結着し、微調整する方法が開示されている。
【０００５】
特許文献２には、医療用オーダーメードウィッグの製造方法として、複数の異なるサイズのウィッグベースに所定の色の毛髪を結着して、小児用ウィッグよりも２０％から３０％毛量の多い複数の異なるサイズのウィッグを予め用意し、小児患者の頭部を採寸した採寸結果に基づき、予め用意されたウィッグのうちの1つのウィッグを選択し、ユーザの頭部に装着し、この状態でウィッグをカットして、利用者の所望の毛髪の長さ寸法かつ治療等による頭部の脱毛前よりもボリューム感のあるヘアスタイルで完成状態とすることが開示されている。
【先行技術文献】
【特許文献】
【０００６】
【特許文献１】特許第５７００４８９号
【特許文献２】特開２０１６−１６６４３８号公報
【発明の概要】
【発明が解決しようとする課題】
【０００７】
特許文献１の方法の場合、ユーザの頭部の形や顔の形に合わせ、ウィッグをフルオーダーできることから、ユーザがイメージするヘアスタイルに合わせやすい。しかし、予め、ユーザの毛髪の位置、量、艶、スタイル、状態等の詳細なデータが必要となるため、ユーザが店舗や美容室に出向いて頭部の形状や髪の生え方等を測定してもらわなければならない。これは、ユーザにとっては大変手間のかかる作業である。特に、ユーザが、病気等により毛髪が抜け落ちてしまった等の場合、店舗や美容室に出向くこともままならないことも多いし、人と接すること自体が心理的な負担となることも多い。また、この方法は、ユーザの採寸データに応じて、ウィッグベースに毛髪を結着する工程から行うため、ウィッグの費用も高額となる。
【０００８】
特許文献２の方法の場合、ウィッグベースへの毛髪の結着工程については纏めて行っているため、フルオーダーによる製造方法よりも安価にウィッグを製造することができる。しかし、ウィッグの調整・加工の際、つまり、ユーザの所望のヘアスタイルにカットやパーマ謎の技術を施す際には、ユーザの頭部にウィッグを装着しなければならず、ユーザが美容室や店舗などに出向かなくてはならないというわずらわしさや、心理的な負担は残る。
【０００９】
例えば、ユーザが、前髪を〇ｃｍカットしてほしいとか、ユーザがイメージする画像（例えば、ヘアカタログ等の切り抜き）を送る等の要望を伝えることで、要望に応じて、遠隔地（つまり、ユーザのいない場所で）で、製造者（例えば、美容師等の美容・理容技術を持つものを含む。）によりウィッグを調整・加工することもありうる。このようなサービスにより、ユーザが美容室や店舗などに出向かなくてもよくなり、通信販売等でも手軽にウィッグを購入することはできる。
【００１０】
特に、前述したように、病気により毛髪が抜け落ちてしまったユーザにとっては、店舗や美容室に出向かなくてよいことやウィッグが比較的安価に提供されることで、身体的及び心理的負担は軽減される。
【００１１】
しかしながら、製造者が、直接ユーザに装着することなく、ウィッグを調整・加工する場合には、ユーザがイメージするヘアスタイルと、製造者との間でイメージが解離し、出来上がったウィッグが、ユーザが思い描いていたイメージに合わないという課題は残る。
【００１２】
本発明は、上記課題に鑑みてされたものであり、その目的は、簡易に、ユーザのイメージにあったウィッグを製造可能とする人体模型を提供することにある。
【課題を解決するための手段】
【００１３】
本発明の一実施形態に係る人体模型は、人体の頭蓋部を模した頭蓋部材を含み、頭蓋部材は、第１部分及び第２部分を有する。第１部分は、ウィッグを装着したときに、ウィッグに覆われる部分を含み、第２部分は、ウィッグを装着したときに、ウィッグから露出される部分を含む。第１部分は、人体の頭周りの１以上の第１寸法に応じて、サイズの調整が可能に形成され、第２部分は、人体の顔周りの１以上の第２寸法に応じて、サイズの調整が可能に形成される。
【００１４】
上記人体模型によれば、簡易に、ユーザのイメージにあったウィッグを製造することができる。
【００１５】
また、本発明の一実施形態に係るウィッグの製造方法は、人体の頭蓋部を模した頭蓋部材を含む人体模型を用いる。頭蓋部材は、それぞれにサイズ調整可能な第１部分及び第２部分を有する。第１部分は、ウィッグを装着したときに、ウィッグに覆われる部分を含み、第２部分は、ウィッグを装着したときに、ウィッグから露出される部分を含む。ユーザの頭蓋部に関する複数の測定値に基づき、第１部分及び第２部分のサイズをそれぞれ調整するステップと、毛髪部が結着された状態のウィッグベースを前記第１部分に装着するステップと、ユーザのオーダーするイメージに応じて、前記毛髪部の調整・加工をするステップと、を有する。
【００１６】
上記製造方法によれば、ユーザに直接装着せずとも、イメージにあったウィッグを製造できる。
【図面の簡単な説明】
【００１７】
【図１】本実施例に係る人体模型の右側面図
【図２】本実施例に係る人体模型の正面図
【図３】本実施例に係る人体模型の背面図
【図４】頭部の各パーツ取付を説明するための概要図
【図５】図４のＦ−Ｆ断面を表す図
【図６】図４のＧ−Ｇ断面を表す図
【図７】ユーザのサイズ測定箇所を説明する図
【図８】ユーザのサイズ測定具の一例を示す図
【図９】頭蓋部材の奥行、幅、高さを最大とした状態を示す図
【図１０】頭蓋部材に皮膚部材、眉鼻口を装着した状態を表す図
【図１１】ウィッグの製造工程の一部を示すイメージ図
【発明を実施するための形態】
【００１８】
以下、図面を参照し、本実施例に係る人体模型、及び、人体模型を用いたウィッグの製造方法を説明する。
【００１９】
＜人体模型の構成＞
【００２０】
図１は、本実施例に係る人体模型１の右側面図である。図２は、当該人体模型１の正面図である。図３は、当該人体模型１の背面図である。
【００２１】
人体模型１は、人体の頭蓋を模した頭蓋部材２と、頭蓋部材２を支持する支持部材３とを有する。
【００２２】
支持部材３は、肩部３２と首部３１とを含む。肩部３２は、人体模型１の土台となる部分であり、人体の肩を模した形状を有する。肩部３２の上方には、首部３１が設けられ、首部３１に頭蓋部材２が取付られる。
【００２３】
本実施例では、肩部３２と首部３１とを別部材で形成し、着脱可能に構成される。例えば、肩部３２の上部中央に凹部３２ａが形成されており、凹部３２ａに円柱状の首部３１が挿入されるように構成されてもよいし、肩部３２の上方に凸部を設け、首部３１の下部に凹部を設けて、肩部３２に首部３１を設置するようにしてもよい。
【００２４】
また、首部３１は、その長さを調整可能に形成される（図示なし）。首部３１の長さの調整については、どのような方法であってもよい。例えば、首部３１を、複数の円柱状部材を上下方向に積み重ねる構成とし、長さに応じて円柱状部材の数を決定するようにしてもよい。また、例えば、首部３１を伸縮可能に形成することで、長さの調整をしてもよい。
【００２５】
頭蓋部材２は、前後、左右、上下のいずれの方向においても、サイズ調整可能に形成される。頭蓋部材２は、第１部分としての頭部１０と、第２部分としての顔部２０とを含む。頭部１０は、ウィッグを装着された状態でウィッグに覆われる部分を含む部分である。顔部２０は、ウィッグが装着された状態においてウィッグに覆われない部分、つまりウィッグから露出する部分を含む部分である。
【００２６】
頭部１０は、複数の部分を含む。本実施例では、頭部１０は、人体の前頭部を模した前頭部１１と、人体の後頭部を模した後頭部１２とを含む。
【００２７】
さらに、前頭部１１及び後頭部１２は、それぞれ複数の部分（例えば、第１パーツ）を含む。本実施例では、前頭部１１は、これが左右に分割された前頭左パーツ１１ａ及び前頭右パーツ１１ｂを含み、後頭部１２は、これが左右に分割された後頭左パーツ１２ａ及び後頭右パーツ１２ｂを含む。
【００２８】
顔部２０も、複数の部分（例えば、第２パーツ）を含む。本実施例では、顔部２０は、これが上下に分割された顔上部２１及び顔下部２２を含む。さらに、顔上部２１は、これが左右に分割された、顔上左パーツ２１ａ及び顔上右パーツ２１ｂを含み、顔下部２２は、これが左右に分割された顔下左パーツ２２ａ及び顔下右パーツ２２ｂを含む。
【００２９】
上述の通り、各パーツは、頭蓋部材２の前後の長さ（奥行）、左右の長さ（幅）、上下の長さ（高さ）を調整可能にするように首部３１に取付られる。例えば、図１−３は、頭蓋部材２の奥行、幅及び高さを最小とした状態であり、図９は、頭蓋部材２の奥行、幅及び高さを最大とした状態である。
【００３０】
頭部１０は、首部３１に取り付けられる。本実施例では、前頭左パーツ１１ａ、前頭右パーツ１１ｂ、後頭左パーツ１２ａ及び後頭右パーツ１２ｂが、首部３１に直接取り付けられている。首部３１への各パーツの取付位置は、移動可能である。具体的には、例えば、首部３１への、前頭左パーツ１１ａ及び前頭右パーツ１１ｂの取付位置は、それぞれ、左右に移動可能である。これにより、首部３１へ取付た際の、前頭部１１の左右の幅が拡縮可能となる。同様に、首部３１への、後頭左パーツ１２ａ及び後頭右パーツ１２ｂの取付位置は、それぞれ、左右に移動可能である。これにより、首部３１へ取付た際の、後頭部１２の左右の幅が拡縮可能となる。
【００３１】
さらに、例えば、首部３１への、前頭左パーツ１１ａ及び後頭左パーツ１２ａと、前頭右パーツ１１ｂ及び後頭右パーツ１２ｂとの取付位置は、それぞれ、前後に移動可能である。これにより、首部３１へ取付た際の、頭部１０の前後の奥行が拡縮可能となる。
【００３２】
顔部２０は、首部３１に取付られる。本実施例では、顔部２０は、頭部１０を介して、間接的に首部３１に取付られている。例えば、顔上左パーツ２１ａ及び顔下左パーツ２２ａは、それぞれ上下左右に移動可能に、前頭左パーツ１１ａに接続されている。また、例えば、顔上右パーツ２１ｂ及び顔下右パーツ２２ｂは、それぞれ上下左右移動可能に、前頭右パーツ１１ｂに接続されている。これにより、頭蓋部材２の上下の高さが拡縮可能となる。
【００３３】
次に、首部３１に対する頭蓋部材２の各部分の具体的な取付を説明する。図４は、頭部１０の各パーツの取付を説明するための概要図である。図５は、図４のＦ−Ｆ断面を表す図である。図６は、図４のＧ−Ｇ断面を表す図である。
【００３４】
首部３１及び頭蓋部材２には、互いを取り付けるための取付部がそれぞれ設けられる。本実施例では、取付部は、首部３１の左右両側に開口を有する取付孔３３、３４と、前頭部１１及び後頭部１２設けられ、取付孔３３に挿入される取付片１３、１４である。
【００３５】
頭部１０の取付を説明する。図及び説明は、主に頭部１０の右側部分（前頭右パーツ１１ｂ、後頭右パーツ１２ｂ）の取付を説明し、頭部１０の左側部分（前頭左パーツ１１ａ、後頭右パーツ１２ａ）について省略するが、左側部分の取付についても同様である。
【００３６】
首部３０の上方の側部には、前後に２つの取付孔（後側取付孔３３、前側取付孔３４）が設けられる。後側取付孔３３は、後頭右パーツ１２ｂ及び後頭左パーツ１２ａの取付片１３がともに挿入可能なように、左右方向に貫通された孔である。後側取付孔３３には、その右側から後頭右パーツ１２ｂの取付片１３が、その左側から後頭左パーツ１２ａの取付片１３が、それぞれ挿入される。これにより、後頭右パーツ１２ｂ及び後頭左パーツ１２ａは、首部３１の前後方向の予め設定された位置に取り付けられる。
【００３７】
前側取付孔３４は、前頭右パーツ１１ｂ及び前頭左パーツ１１ａの取付片１４がともに挿入可能なように、左右方向に貫通された孔である。前側取付孔３４は、取付片１４よりも、前後方向に長く形成される。これにより、取付片１４の前側取付孔３４の挿入位置は、前後方向に調整可能となる。つまり、取付片１４の挿入位置により、首部３１に対する前頭右パーツ１１ｂ及び前頭左パーツ１１ａの取付位置が前後に調整可能となる。これにより、頭部１０の前後の奥行及び頭部周りの大きさが調整可能となる。
【００３８】
なお、本実施例では、後側取付孔３３及び前側取付孔３４は、左右方向に貫通させた孔としたが、右側及び左側にそれぞれ設けてもよい。また、本実施例では、前側取付孔３４のみを、取付片１４よりも前後方向に長く形成するようにした。これにより、後頭左右パーツ１２ａ、１２ｂの前後方向の取付位置は、固定され、前頭左右パーツ１２ａ、１２ｂを前後方向の取付位置のみが、調整可能とされた。しかし、この実施例に限らず、後側取付孔３３のみを取付片１３よりも前後方向を長く形成するようにしてもよいし、両方の取付孔３３、３４を、取付片１３、１４よりも前後方向を長く形成するようにしてもよい。
【００３９】
頭部１０には、その左右の幅を調整するためのアジャスタが設けられる。本実施例では、アジャスタは、前頭左パーツ１１ａ、前頭右パーツ１１ｂ、後頭左パーツ１２ａ、及び、後頭右パーツ１２ｂのそれぞれに設けられる。アジャスタの図・説明については、主に前頭右パーツ１１ｂ、後頭右パーツ１２ｂを説明し、前頭左パーツ１２ｂ、後頭右パーツ１１ｂについては省略するが、これらについても同様である。
【００４０】
例えば、アジャスタとして、前頭右パーツ１１ｂの取付片１４及び後頭右パーツ１２ｂの取付片１３に、左右方向に広がる穴１４ａ、１３ａがそれぞれ設けられ、これら穴１４ａ、１３ａの任意の位置にストッパー１４ｃ、１３ｃが挿入可能となる。ストッパー１３ｃ、１４ｃが、穴１３ａ、１４ａの任意の位置に挿入された状態で、取付片１３、１４を取付孔３３、３４に取り付ける。ストッパー１３ｃ、１４ｃは、取付片１３、１４を取付孔３３、３４に取り付けたときに、取付孔３３、３４の縁に引っかかるように形成される。つまり、穴１３ａ、１４ａの好みの位置に、ストッパー１３ｃ、１４ｃを挿入し、その状態で取付片１３、１４を取付孔３３、３４に挿入すると、取付片１３、１４の挿入がストッパー１３ｃ、１４ｃの位置でとまる。これにより、頭部１０の左右の幅及び頭部周りの大きさが調整可能となる。なお、穴１３ａ、１４ａの形状や配置は、図示例のものに限られず、どのように設定してもよい。また、アジャスタについても、本実施例の構成のものには限られず、頭部１０の各パーツの左右の幅が調整可能な構成であれば、どのようなものであってもよい。
【００４１】
次に、顔部２０の取付を説明する。図及び説明は、顔部２０の右側のみについて行い顔部２０の左側については省略するが、左側についても同様である。前頭右パーツ１１ｂの内側には、顔上右パーツ２１ｂ及び顔下右パーツ２２ｂを稼働可能に接続する頭部接続具１５が設けられる。頭部接続具１５には、上下方向に延びる縦長孔１５ａが設けられる。
【００４２】
顔上右パーツ２１ｂの内側には、顔上接続具２５が設けられる。顔上接続具２５には、左右方向に延びる横長孔２５ａが設けられる。留具２５ｂを、頭接続具１５の縦長孔１５ａと、顔上接続具２５の横長孔２５ａとに貫通することで、前頭右パーツ１１ｂに顔上右パーツ２１ｂが上下及び左右に移動可能に接続される。例えば、留具２５ｂは、縦長孔１５ａの上下方向の好みの位置、及び、横長孔２５ａの左右方向の好みの位置に固定可能である。
【００４３】
顔下右パーツ２２ｂの内側には、顔下接続具２６が設けられる。顔下接続具２６には、左右方向に延びる横長孔２６ａが設けられる。留具２６ｂを、頭接続具１５の縦長孔１５ａと、顔下接続具２６の横長孔２６ａとに貫通することで、前頭右パーツ１１ｂに顔下右パーツ２２ｂが上下及び左右に移動可能に接続される。例えば、留め具２６ｂは、縦長孔１５ａの上下方向の任意の位置であって、かつ、横長孔２６ａの左右方向の任意の位置に固定可能である。
【００４４】
これより、前頭左右パーツ１１ａ、１１ｂに対して、顔上左右パーツ２１ａ、２１ｂ及び顔下左右パーツ２２ａ、２２ｂが、それぞれ上下及び左右方向にサイズ調整可能に接続される。
【００４５】
上述の構成により、人体模型１は、人体の頭周り及び顔周りのサイズに適応するように、頭蓋部材２の種々サイズ調整が可能となる。本実施例では、例えば、図７の人体の１０か所のサイズに適応するように、人体模型１の１０か所のサイズを調整できる。以下１０か所を説明する。１〜１０の数字について、図では丸囲み数字を用いて示す。
【００４６】
１は、例えば、人体では頭頂から顎下までの上下の長さである。これは例えば、人体模型１では、頭蓋部材２の上下の高さである。
【００４７】
２は、例えば、人体では頭頂から生え際までの長さである。これは例えば、人体模型１では、前頭部１１ａ、１１ｂの後端から生え際までの長さである。
【００４８】
３は、例えば、人体では眉間から後頭部までの前後の長さである。これは例えば、人体模型１では、頭部１０の前後の奥行である。
【００４９】
４は、例えば、人体では生え際から眉間までの上下の長さである。これは例えば、人体模型１では、前頭部１１の額までの上下の長さである。
【００５０】
５は、例えば、人体では眉間から顎下までの上下の長さである。これは例えば、人体模型１では、顔部２０の上下の長さである。
【００５１】
６は、例えば、人体では鼻下から顎下までの上下の長さである。これは例えば、人体模型１では、顔上部２１の下端部から、顔下部２２の下端部までの長さである。
【００５２】
７は、例えば、人体では顎下から鎖骨中央までの上下の長さである。これは例えば、人体模型１では、首部３１の長さである。
【００５３】
８は、例えば、人体では額の左右の幅である。これは例えば、人体模型１では、前頭部１１の左右の幅である。
【００５４】
９は、例えば、人体では左右のこめかみの間の幅である。これは例えば、人体模型１では、顔上部２１の左右の幅である。
【００５５】
１０は、例えば、人体では左右のエラの間の幅である。これは例えば、人体模型１では、顔下部２２の左右の幅である。なお、この他に、人体の頭囲のサイズ等を測定するようにしてもよい。
【００５６】
頭蓋部材２には、皮膚部材４１を装着できる。本実施例では、図１０に示すように、皮膚部材４１は例えば皮膚を模した形状に布等で構成され、これを頭蓋部材２に覆うように装着している。また、顔部２０には、適宜の位置に、顔の各部として、眉毛部材４２、鼻部材４４、耳部材４３や、口部材や目部材（図示なし）等を装着してもよい。なお、皮膚部材４１は、頭蓋部材２を覆うものであれば、布に限らずビニールやプラスチック等、どのような材質のものであってもよい。また、眉毛部材４２鼻部材４４、耳部材４３、口部材、目部材等についても、これらの位置が把握できるものであれば、どのようなものであってもよい。
【００５７】
また、例えば、投影機等の何らかの方法により、皮膚部材４１の表面に、実際の顔の写真が投影されるようにしてもよい。
【００５８】
上記の通り、本実施例においては、人体模型１は、人体の頭蓋部及びその周囲の種々のサイズに適合するように、種々の箇所のサイズを調整することができる。具体的には、人体模型１は、ウィッグを装着した状態において、頭蓋部材２全体のサイズ、つまり、ウィッグに覆われる部分を含む頭部１０だけでなく、ウィッグより露出する部分を含む顔部２０についてもサイズを調整することができる。
【００５９】
また、本実施例においては、頭部１０及び顔部２０について、それぞれ複数のパーツに分割されている。人は、それぞれ頭部の大きさや形、顔の大きさや形が異なるのであるが、このように頭部１０及び顔部２０をそれぞれ複数のパーツに分割することで、１つの人体模型１にて、より多くの人の頭部及び顔部の大きさや形に調整することが可能となる。そして、本実施例では、これら各パーツが取付位置を移動可能に首部３１に取り付けられる。また、このような構成により簡易に頭部１０及び顔部２０のサイズを調整できる。
【００６０】
具体的には、頭部１０が、前後に前頭部１１及び後頭部１２として分割され、さらに、前頭部１１が、左右に前頭左・右パーツ１１ａ、１１ｂとして、後頭部１２が、左右に後頭左・右パーツ１２ａ、１２ｂとして、それぞれ分割されている。そして、これらの各パーツの取付位置を移動可能に、首部３１に取り付けられる。これにより、頭部１０全体の前後の奥行、左右の幅のサイズ調整ができる。
【００６１】
加えて、顔上左パーツ２１ａ及び顔下左パーツ２２ａが、前頭左パーツ１１ａに移動可能に接続され、顔上右パーツ２１ｂ及び顔下右パーツ２２ｂが、前頭右パーツ１１ｂに移動可能に接続されている。このように、顔部２０の各パーツが前頭部１１の各パーツを介して移動可能に首部３１に取り付けられたことにより、ウィッグを装着するための頭部１０のサイズに基づいて、ウィッグから露出する顔部２０の左右の幅や上下の長さ等のサイズも調整ができる。このようにすることで、顔部２０のサイズ調整を簡易にすることができる。また、顔部２０の上下の高さや左右の幅を調整できるため、サイズを測定した人体にウィッグを装着した場合の顔周りの雰囲気をイメージしやすくなる。
【００６２】
さらに、人体模型１は、首部３１の長さも、人体のサイズに応じて調整できる。これにより、人体模型１に装着したウィッグについて、サイズを測定した人体に装着した場合の毛髪部分の相対的な長さをイメージしやすくなる。
【００６３】
また、顔部２０の適宜位置に、皮膚部材４１や顔の各部を装着できる。これにより、人体模型１において、サイズを測定した人体の前髪等の雰囲気をイメージしやすくなる。
【００６４】
なお、本実施例では、頭部１０の各パーツを取り付ける、首部３１の後側取付孔３３及び前側取付孔３４は、左右方向に貫通させた孔であった。しかし、頭部１０の前後の長さが調整できる構成であればよく、例えば、前後方向に延びる一続きの孔であってもよい。
【００６５】
また、本実施例では、支持部材３として首部３１及び肩部３２を別部材で構成していたが、これには限られない。例えば、肩部と首部とが一体形成されるようにしてもよい。
【００６６】
＜人体模型を用いたウィッグの製造方法＞
【００６７】
次に、人体模型１を用いたウィッグＷの製造方法を説明する。本実施例では、ウィッグベースへの毛髪部の結着工程以降の工程を説明する。ウィッグベースへの毛髪部の結着工程については、製造者が行ってもよいし、予め毛髪が結着されたウィッグベースを利用してもよい。なお、ウィッグベースは、カットやパーマなどの調整・加工にて、仕上がりのヘアスタイルを形成できる程度に十分な長さの毛髪が結着されたものを使用するのが望ましい。なお、以下では、毛髪部が結着された状態のウィッグベース（以下、これを単にベースをいう。）Ｂでの製造方法を説明する。
【００６８】
以下の説明では、ベースＢは、頭囲に基づいた複数サイズが用意されているものとし、ウィッグＷを購入するユーザは、通常、ウィッグＷの製造者とは別の場所（遠隔地）にいるものとする。
【００６９】
ユーザは、自分の頭周りのサイズ及び顔周りのサイズを測定し、測定した各サイズと、自分のイメージしたヘアスタイル（雑誌やヘアカタログのモデルの写真の切り抜き等、以下ユーザイメージという）Ｐとを、製造者に送る。具体的には、例えば、サイズは、図７で説明した１０か所のサイズを測定するのが望ましい。この際、例えば、頭頂から顎下までの上下の長さ（１）眉間から後頭部までの前後長さ（３）、額の左右の幅（８）、左右のこめかみの間の幅（９）、左右のエラの間の幅（１０）等については、自分１人で正確な測定をするために、専用の測定具を用いてもよい。一例として、図８のように、ユーザは、専用のノギス５０用いて測定してもよい。
【００７０】
また、ユーザは、ベースＢのサイズを選択する。なお、ベースＢのサイズについては、ユーザの選択によらず、頭囲のサイズ（２）に基づき製造者が選択するようにしてもよい。またこの際、ユーザは好みの髪質や髪色などを選択するようにしてもよい。
【００７１】
製造者は、ユーザより送られた、ユーザの頭部及び顔部のサイズやベースＢのサイズ、好みの髪質や髪色等の情報を受けとる。そして、頭囲のサイズ（又はユーザが選択したベースＢのサイズ）、及び髪質や髪色やユーザイメージＰ等に基づき、最適なサイズ、髪質、髪色のベースＢを決定する。
【００７２】
製造者は、ユーザの頭周り及び顔周りのサイズに基づき、人体模型１の左右の幅、前後の奥行、上下の高さ等のサイズを調整する。具体的には、例えば、製造者は以下のステップを行う。
【００７３】
製造者は、例えば、頭部１０の左右の幅及び前後の奥行を調整する。この際、例えば、額の左右の幅（８）、眉間から後頭部までの前後の長さ（３）等のサイズを用いるものとする。
【００７４】
製造者は、また例えば、顔部２０の上下の高さ及び左右の幅を調整する。この際、例えば、頭頂から顎下までの上下の長さ（１）、鼻下から顎下までの上下の長さ（６）、左右のこめかみの間の幅（９）、左右のエラの間の幅（１０）等のサイズを用いるものとする。
【００７５】
製造者は、例えば、顎下から鎖骨中央までの上下の長さ（７）等のサイズを用い、首部３１の長さを調整する。
【００７６】
次いで、製造者は、例えば、顔の各部分（例えば、皮膚、眉、鼻、耳等）を顔部２０に取付ける。具体的には、製造者は、まず、図１０に示すように、顔部２０に皮膚部材４１を装着する。次に、製造者は、例えば、眉間から顎下までの上下の長さ（５）に基づき、眉毛部材４２を装着する。また、製造者は、例えば、鼻下から顎下までの上下の長さ（６）に基づき、鼻部材４４を装着する。なお、製造者は、耳部材４３や、口部材や目部材（図示なし）等を装着してもよい。以上で人体模型１のサイズ調整が完了する。
【００７７】
製造者は、ウィッグＷの調整・加工を行う。図１１は、ウィッグの調整・加工の工程を説明する図である。
【００７８】
具体的には、製造者は、調整した人体模型１の頭部１０に、ベースＢを装着する。この際、製造者は、例えば、生え際から眉間までの上下の長さ（４）や頭頂から生え際までの長さ（２）等に基づいて、ベースＢの取付位置を調整するようにしてよい。
【００７９】
次いで、製造者は、例えば、ユーザイメージＰに合わせて、人体模型１に装着されたベースＢの毛髪部にカットやパーマなどの施術を行う。
【００８０】
上述の通り、本実施例に係る人体模型１を用いたウィッグの製造方法によれば、製造者は、ウィッグを直接ユーザに装着することなく、ユーザから送られた情報をもとに、ユーザがイメージするヘアスタイルに合わせたウィッグを製造できる。特に、ウィッグが装着される頭部１０のサイズ調整だけでなく顔部２０を含む部分においてもサイズ調整が可能となるため、ユーザの独自のイメージにあったヘアスタイルのウィッグを提供できる。また、人体模型１は、各部のサイズが調整可能であるため、頭周り・顔周りのサイズが異なる複数のユーザに対して適用可能である。このため、製造者は、サイズの異なる複数の人体模型１を用意せずに済むため、ウィッグのコストを低減することができる。
【００８１】
上記の製造方法により、製造者は、ユーザに直接装着することなく、ユーザのイメージにあったウィッグを製造することができる。具体的には、製造者は、遠隔地のユーザの頭周りや顔周りのサイズに応じたウィッグを製造することができる。また、フルオーダーによるウィッグよりも簡易かつ安価に製造することができる。
【００８２】
またこれは、ユーザ側からすれば、製造者のところに出向くことなく、安価に、自分のイメージ通りのウィッグを購入できることとなる。
【００８３】
本実施例については、上述の通りであるが、これは本発明の一の実施例に過ぎない。従って、本願の請求の範囲に記載の人体模型及びウィッグの製造方法であれば、上記の実施例によらずどのような態様であってもよい。
【００８４】
例えば、人体模型の頭蓋部材の第１部分及び第２部分（さらには各パーツ）の分割の方法や数については、どのようなものでもよい。具体的には、上記実施例では、頭蓋部材２を頭部１０及び顔部２０の２つの部に分けていたが、これらを３つ以上の部分に分けるとしてもよい。また、上記実施例では、頭部１０を前頭部１１及び後頭部１２の２分割とし、これら前頭部１１及び後頭部１２をさらに左右の２分割としていたが、これらいずれも３分割以上としてもよい。また、顔部２０についても、上下・左右に４分割としていたが、どのように分割するとしてもよい。
【００８５】
また、人体模型１の各部（各パーツ）の材質については言及していないが、模型となりうる材質であればどのようなものであってもよい。例えば、プラスチックや、木、金属等であってもよいし、これらの組み合わせであってもよい。
【００８６】
また、本実施例では、頭部１０と顔部２０とを、更なるパーツに分割することでサイズ調整可能としていた。しかしながら、頭蓋部材の第１部分及び第２部分については、サイズ調整が可能なものであれば、それぞれが１つの部分で形成されてもよい。例えば、第１部分及び第２部分のそれぞれがゴムのような膨張や縮小が可能な材質で形成し、空気や水等、各部分の中に充填するものの量を調整することにより、サイズ調整するようにしてもよい。
【００８７】
また、本実施例では、製造者が、ユーザの頭周り及び顔周りのサイズに基づき、人体模型１の左右の幅、前後の奥行、上下の高さ等のサイズ調整の各ステップを行っていた。しかしながら、各ステップの順序はいかなるものであってもよい。
【００８８】
また、本実施例では、ウィッグの製造を製造者が行うこととしていたが、これに限られるものではない。例えば、コンピュータシステム等を用いてもよい。これは例えば、人体模型１の各パーツの取付位置が自動的に算出され、製造者に送信されるようにしてもよい。さらに、人体模型１の各パーツが自動的に可動する構成とし、前記算出された取付位置に、当該各パーツが自動で取付られる（移動される）ようにしてもよい。
【符号の説明】
【００８９】
１：人体模型，２：頭蓋部材，３：支持部材，１０：頭部，１１：前頭部，１１ａ前頭左パーツ，１１ｂ：前頭右パーツ，１２ａ：後頭左パーツ，１２ｂ後頭右パーツ，２０：顔部，２１ａ：顔上左パーツ，２２ｂ：顔上右パーツ，２２ａ：顔下左パーツ，２２ｂ：顔下右パーツ，３１：首部，３２：肩部
【図１】
2019119970.tif 000003
【図２】
2019119970.tif 000004
【図３】
2019119970.tif 000005
【図４】
2019119970.tif 000006
【図５】
2019119970.tif 000007
【図６】
2019119970.tif 000008
【図７】
2019119970.tif 000009
【図８】
2019119970.tif 000010
【図９】
2019119970.tif 000011
【図１０】
2019119970.tif 000012
【図１１】
2019119970.tif 000013
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
人体の頭蓋部を模した頭蓋部材を含み、
前記頭蓋部材は、第１部分及び第２部分を有し、
前記第１部分は、ウィッグを装着したときに、前記ウィッグに覆われる部分を含み、
前記第２部分は、前記ウィッグを装着したときに、前記ウィッグから露出される部分を含み、
前記第１部分及び前記第２部分は、それぞれ、移動可能な複数のパーツに分割され、
前記複数のパーツの配置を調整することにより、前記第１部分及び前記第２部分は、それぞれサイズの調整が可能に形成される
人体模型。
【請求項２】
前記頭蓋部材を支持する支持部材を有し、
前記第１部分は、前記支持部材に移動可能に設けられる、複数の第１パーツを含み、
前記第２部分は、前記支持部材に移動可能に設けられる、複数の第２パーツを含む
請求項１に記載の人体模型。
【請求項３】
前記複数の第１パーツは、少なくとも前記第１部分を前後及び左右に分割した、前頭右パーツ、前頭左パーツ、後頭右パーツ及び後頭左パーツを含み、
前記複数の第２パーツは、少なくとも前記第２部分を上下及び左右に分割した、顔上右パーツ、顔上左パーツ、顔下右パーツ及び顔下左パーツを含み、
前記前頭右パーツには、前記顔上右パーツ及び前記顔下右パーツが接続され、
前記前頭左パーツには、前記顔上左パーツ及び前記顔下左パーツが接続され、
前記支持部材に対する前頭右パーツ、前頭左パーツ、後頭右パーツ及び後頭左パーツの配置が調整可能であり、
前記前頭右パーツに対する前記顔上右パーツ及び前記顔下右パーツの配置、及び、前記前頭左パーツに対する前記顔上左パーツ及び前記顔下左パーツの配置が調整可能である
請求項２に記載の人体模型。
【請求項４】
前記支持部材は、人体の首を模した首部を含み、
前記首部は、その長さが調整可能に形成される
請求項２又は３に記載の人体模型。
【請求項５】
前記頭蓋部材には、眉部、鼻部及び耳部が調整可能に配置される
請求項１乃至４のいずれか１項に記載の人体模型。
【請求項６】
ウィッグを製造する方法であって、
人体の頭蓋部を模した頭蓋部材を含む人体模型を用い、
前記頭蓋部材は、それぞれにサイズ調整可能な第１部分及び第２部分を有し、
前記第１部分は、前記ウィッグを装着したときに、前記ウィッグに覆われる部分を含み、
前記第２部分は、前記ウィッグを装着したときに、前記ウィッグから露出される部分を含み、
ユーザの頭蓋部に関する複数の測定値に基づき、前記第１部分及び前記第２部分のサイズをそれぞれ調整するステップと、
毛髪部が結着された状態のウィッグベースを、前記第１部分に装着するステップと、
ユーザのオーダーするイメージに応じて、前記毛髪部の調整・加工するステップと
を有する製造方法。
【請求項７】
ウィッグを製造するためのシステムであって、
人体の頭蓋部を模した頭蓋部材を含む人体模型を用い、
前記頭蓋部材は、それぞれにサイズ調整可能な第１部分及び第２部分を有し、
前記第１部分は、前記ウィッグを装着したときに、前記ウィッグに覆われる部分を含み、
前記第２部分は、前記ウィッグを装着したときに、前記ウィッグから露出される部分を含み、
ユーザの頭蓋部に関する複数の測定値に基づき、前記第１部分及び前記第２部分のサイズをそれぞれ調整するステップと、
毛髪部が結着された状態のウィッグベースを、前記第１部分に装着するステップと、
ユーザのオーダーするイメージに応じて、前記毛髪部の調整・加工するステップと
を有するシステム。